(57)【要約】【課題】付替可能な装飾部材を有することにより色や模様の異なる他の装飾部材への付替を可能として、扉のデザインを簡単に変更して物置のデザインを自由に変更することができるデザインに変化性のある物置用扉を提供すること。【解決手段】扉本体１の前面１ａに複数種の装飾部材３を固定部材４によって付替可能に固定したことを特徴とする。【選択図】    図２
2004218353.tif 000002
【特許請求の範囲】
【請求項１】
扉本体の前面に複数種の装飾部材を固定部材によって付替可能に固定したことを特徴とする物置用扉。
【請求項２】
前記扉本体は、前面に上下方向に伸びた溝を有し、
前記装飾部材は、前記溝に嵌入可能であるとともにその前面が前記扉本体の前面より沈み込む段差を作る形状とされており、
前記固定部材は、その少なくとも一部が前記溝に嵌入された前記装飾部材の前面側に配されるとともに、前記扉本体の裏側に配される結合用部品とによって前記装飾部材を扉本体に付替可能に固定するように形成されている
ことを特徴とする請求項１に記載の物置用扉。
【請求項３】
前記固定部材は、前記装飾部材の上下端にキャップとして一体的取りつけられるように形成されていることを特徴とする請求項２に記載の物置用扉。
【発明の詳細な説明】
【０００１】
【発明の属する技術分野】
本発明は、物置用扉に係り、付替可能な装飾部材を有する物置用扉に関する。
【０００２】
【従来の技術】
従来、物置の扉に関する発明は、下記の文献に示すように、有効開口幅の拡大や扉の連動化等、利便性を上げること、操作性をよくすることに焦点があてられていた。これらの扉には、色や模様はあるものの、意匠の変化性はなかった。
【０００３】
【特許文献１】
特開２００１−１６４７７３号公報
【特許文献２】
特開平０５−０５２０４６号公報
【特許文献３】
特許３２９４８０２号公報
【特許文献４】
特許２９１４９２４号公報
【０００４】
【発明が解決しようとする課題】
一般に、物置を購入するときには、価格や機能、サイズ、色、柄等が主な選択項目となっている。しかし、扉が大きく印象づける色や柄は個人の好みで飽きてしまうこともある。更には周囲の景観の変化、たとえば家屋の外壁の塗り替えに伴って物置との相性に変化が出てくることもある。それでも、従来の物置はそのままのデザインでの使用を強いられてきた。
【０００５】
本発明はこれらの点に鑑みてなされたものであり、付替可能な装飾部材を有することにより色や模様の異なる他の装飾部材への付替を可能として、扉のデザインを簡単に変更して物置のデザインを自由に変更することができるデザインに変化性のある物置用扉を提供することを目的とする。
【０００６】
【課題を解決するための手段】
前記目的を達成するために、本発明の物置用扉は、扉本体の前面に複数種の装飾部材を固定部材によって付替可能に固定したことを特徴とする。これにより装飾部材を付替えることにより物置用扉のデザインを変更することができ、ひいては物置の正面となるデザインを簡単に変更することができる。
【０００７】
また、前記扉本体としては、前面に上下方向に伸びた溝を有するように形成されており、前記装飾部材としては、前記溝に嵌入可能であるとともにその前面が前記扉本体の前面より沈み込む段差を作る形状に形成されており、前記固定部材としては、その少なくとも一部が前記溝に嵌入された前記装飾部材の前面側に配されるとともに、前記扉本体の裏側に配される結合用部品とによって前記装飾部材を扉本体に付替可能に固定するように形成されていたり、前記装飾部材の上下端にキャップとして一体的取りつけられるように形成されていることを特徴とする。これにより扉本体の前面に上下方向に伸びた溝に装飾部材を簡単に付替えすることができる。
【０００８】
【発明の実施の形態】
以下、本発明の実施の形態を図面に基づいて詳細に説明する。
【０００９】
まず、第１の実施の形態について図１、図２、図３を用いて説明する。
【００１０】
本実施の形態の物置用扉は、扉本体１の前面に複数種の装飾部材３を固定部材４によって付替可能に固定されている。
【００１１】
更に説明すると、扉本体１は金属薄板を折り曲げ成形してほぼ矩形形状となるように作成されている。扉本体１の全面１ａの幅方向の中央部には上下方向に伸びる溝２を設け、当該溝２の底面となる扉本体１の前面部分に孔７を設けてある。装飾部材３は溝２の深さ距離（ｄ１）に対して、厚みの距離（ｄ２）が短いコの字形に金属薄板を折り曲げ成形して作成されている。この装飾部材３の前面３ａには、孔７ａを扉本体１の孔７と同一位置に設けてある。この装飾部材３を固定する固定部材４は樹脂の成形品であり、装飾部材３の前側に配置される。装飾部材３の前面との接触面である固定部材４の後面には、螺子受けの突起６を設けてある。このように形成されている装飾部材３を溝２に嵌入し、その後固定部材４の突起６が装飾部材３の孔７ａに前側から挿通するように固定部材４を装飾部材３に重ね。続いて、扉本体１の後側から結合用部品となる螺子５を扉本体１の孔７に挿通して突起６に螺着させることにより、固定部材４と螺子５とによって装飾部材３を扉本体１の前側の溝２内に固定する。
【００１２】
なお、固定部材４と螺子５との組合せは装飾部材３を扉本体１固定できるものであればよく、例えばボルトとナット等の公知の固定手段を用いて固定してもよい。また、固定部材４は溝２の如何なる位置に配してもよい。
【００１３】
次に、第２の実施の形態について図４、図５、図６を用いて、第１の実施の形態と相違する部分を中心として説明する。
【００１４】
第２の実施の形態においては、扉本体１に設けた溝２の深さ距離（ｄ１）に対して、厚みの距離（ｄ２）が短いコの字形である装飾部材３の上下に、当該装飾部材３の上下を塞ぐキャップとしての機能と螺子受けの孔６ａを有する固定部材４ａをそれぞれ嵌合させて装飾部材３と一体的に組み立てて、扉本体１の溝２内に嵌入し、扉本体１の後側から螺子５をもって固定したものである。第２の実施の形態のその他の構成は第１の実施の形態と同様である。
【００１５】
第１および第２の実施の形態に示すように、本発明は、装飾部材３を扉本体１の溝２内に嵌入し、螺子５やボルトといった結合用部品とそれを受ける固定部材４とによって固定しているだけなので、装飾部材３を容易に取り外し、付替えることが可能である。色や模様の違う装飾部材３を複数種に作成することで、より多くのデザインを楽しむことができる。また、扉本体１の溝２の深さ距離（ｄ１）と装飾部材３の厚みの距離（ｄ２）に段差を設けているので、溝２の幅方向両端部に形成される段部を把手としても利用することができる。
【００１６】
なお、本発明は前記の各実施の形態に限定されるものではなく、必要に応じて変更することができる。例えば、装飾部材の形状、扉本体への取りつけ箇所位置や数等は設計目的に応じて適宜に変更するとよい。
【００１７】
【発明の効果】
本発明はこのように形成され作用するものであるから、扉のデザインを簡単に変更して物置のデザインを自由に変更することができるデザインに変化性のある物置用扉を得ることができる。具体的には、装飾部材が付替え可能なために、装飾部材を各種用意することにより、必要に応じて簡単かつ迅速に扉の意匠性を変えることができる。
【図面の簡単な説明】
【図１】本発明の第１の実施の形態の分解斜視図
【図２】本発明の第１の実施の形態の斜視図
【図３】本発明の第１の実施の形態における固定部材（基本型）の前側及び後側斜視図
【図４】本発明の第２の実施の形態の分解斜視図
【図５】本発明の第２実施の形態の斜視図
【図６】本発明の第２の実施の形態における固定部材（キャップ型）の前側及び後側斜視図
【符号の説明】
１  扉本体
１ａ  扉本体前面
２  扉本体の溝
３  装飾部材
４  固定部材（基本型）
４ａ  固定部材（キャップ型）
５  螺子
【図１】
2004218353.tif 000003
【図２】
2004218353.tif 000004
【図３】
2004218353.tif 000005
【図４】
2004218353.tif 000006
【図５】
2004218353.tif 000007
【図６】
2004218353.tif 000008